(57)【要約】【課題】協調複数基地局通信システムの基地局として機能させる基地局装置を選択する際に、確実に基地局として利用可能な基地局装置を選択する無線通信システムを提供する。【解決手段】基地局装置ＢＳが、他の基地局装置とその基地局装置の含まれるセル内に存在する端末装置との間の通信状況を示すスケジュール情報を、ネットワークを介して他の基地局装置から取得するバックハウルインターフェース１４０と、対象端末装置と各基地局装置との間の伝搬路状況データおよびスケジュール情報に基づいて、対象端末装置に対する基地局として機能する基地局装置を選択するＣｏＭＰセル情報決定部１６０と、を備えている。【選択図】図１
2010258612.tif 000002
【特許請求の範囲】
【請求項１】
ネットワークを介して互いに接続された複数の基地局装置により構成される無線通信システムであって、上記複数の基地局装置のうちのいくつかを単一の端末装置に対する基地局として機能させる無線通信システムにおいて、
上記複数の基地局装置の各々が、
対象端末装置と、上記複数の基地局装置のうち当該対象端末装置と通信可能な基地局装置との間の通信品質を示す品質情報を、当該対象端末装置から受信する受信手段と、
他の基地局装置と、当該他の基地局装置を含むセル内に存在する端末装置との間の通信スケジュールを示すスケジュール情報を、上記ネットワークを介して当該他の基地局装置から取得する取得手段と、
上記対象端末装置に対する基地局として機能させるいくつかの基地局装置を、上記品質情報および上記スケジュール情報に基づいて選択する選択手段と、
を備えていることを特徴とする無線通信システム。
【請求項２】
上記取得手段は、上記スケジュール情報に加えて、他の基地局装置に備えられた受信手段において受信された品質情報を、上記ネットワークを介して当該他の基地局装置から取得し、
上記選択手段は、上記対象端末装置に対する基地局として機能させるいくつかの基地局装置を、上記取得手段において取得した品質情報およびスケジュール情報に基づいて選択することを特徴とする請求項１に記載の無線通信システム。
【請求項３】
上記複数の基地局装置の各々が、上記選択手段により選択された基地局装置を上記対象端末装置に通知する通知手段をさらに備えており、
上記通知手段は、上記選択手段において選択した基地局装置の集合を表すセット情報を用いて、上記対象端末装置に対する基地局として機能する基地局装置を上記対象端末装置に通知することを特徴とする請求項１または２に記載の無線通信システム。
【請求項４】
上記選択手段は、上記対象端末装置に対する基地局として機能させるいくつかの基地局装置を、上記受信手段において受信した品質情報であって、直近に受信した所定数の品質情報および上記スケジュール情報に基づいて選択することを特徴とする請求項１から３のいずれか１項に記載の無線通信システム。
【請求項５】
上記対象端末装置は、
上記複数の基地局装置の各々から受信した所定の信号に基づいて、当該対象端末装置と当該複数の基地局装置の各々との間の通信品質を示す品質情報を生成する生成手段と、
上記生成手段において生成した品質情報を上記複数の基地局装置のいずれかに送信する送信手段と、を備えていることを特徴とする請求項１から４のいずれか１項に記載の無線通信システム。
【請求項６】
上記対象端末装置が、上記複数の基地局装置のうち、当該対象端末装置との間の通信品質を示す品質情報を報告する対象とする報告対象基地局装置を選択する基地局選択手段をさらに備えており、
上記生成手段は、当該対象端末装置と上記基地局選択手段において選択された報告対象基地局装置との間の通信品質を示す品質情報を生成することを特徴とする請求項５に記載の無線通信システム。
【請求項７】
上記対象端末装置が、上記複数の基地局装置のうち、当該対象端末装置との間の通信品質を示す品質情報を報告する対象とする報告対象基地局装置を選択する基地局選択手段をさらに備えており、
上記送信手段は、上記生成手段において生成した品質情報のうち、上記基地局選択手段において選択された報告対象基地局装置との間の品質情報を上記複数の基地局装置のいずれかに送信することを特徴とする請求項５に記載の無線通信システム。
【請求項８】
上記生成手段は、上記複数の基地局装置の各々を表す識別情報の代わりに、当該識別情報との対応関係が予め定められた指標であって、当該識別情報よりも情報容量の小さい指標が関連付けた品質情報を生成することを特徴とする請求項５から７のいずれか１項に記載の無線通信システム。
【請求項９】
ネットワークを介して互いに接続された複数の基地局装置により構成される無線通信システムであって、上記複数の基地局装置のうちのいくつかを単一の端末装置に対する基地局として機能させる無線通信システムに含まれる基地局装置であって、
対象端末装置と、上記複数の基地局装置のうち当該対象端末装置と通信可能な基地局装置との間の通信品質を示す品質情報を、当該対象端末装置から受信する受信手段と、
他の基地局装置と、当該他の基地局装置を含むセル内に存在する端末装置との間の通信スケジュールを示すスケジュール情報を、上記ネットワークを介して当該他の基地局装置から取得する取得手段と、
上記対象端末装置に対する基地局として機能させるいくつかの基地局装置を、上記品質情報および上記スケジュール情報に基づいて選択する選択手段と、
を備えていることを特徴とする基地局装置。
【請求項１０】
ネットワークを介して互いに接続された複数の基地局装置により構成される無線通信システムであって、上記複数の基地局装置のうちのいくつかを単一の端末装置に対する基地局として機能させる無線通信システムにおける制御方法において、
対象端末装置と、上記複数の基地局装置のうち当該対象端末装置と通信可能な基地局装置との間の通信品質を示す品質情報を、当該対象端末装置から受信する受信ステップと、
他の基地局装置と、当該他の基地局装置を含むセル内に存在する端末装置との間の通信スケジュールを示すスケジュール情報を、上記ネットワークを介して当該他の基地局装置から取得する取得ステップと、
上記対象端末装置に対する基地局として機能させるいくつかの基地局装置を、上記品質情報および上記スケジュール情報に基づいて選択する選択ステップと、
を含むことを特徴とする制御方法。
【請求項１１】
請求項９に記載の基地局装置を動作させるプログラムであって、コンピュータを上記の各手段として機能させるためのプログラム。
【請求項１２】
請求項１１に記載のプログラムを記録しているコンピュータ読み取り可能な記録媒体。
【発明の詳細な説明】
【技術分野】
【０００１】
本発明は、無線通信システムに関し、特には、協調複数基地局通信システムおよび当該協調複数基地局通信システムにおける基地局として機能する基地局装置に関する。
【背景技術】
【０００２】
昨今の無線通信システムにおいて、高速伝送技術、広帯域システム技術、サービス品質（ＱｏＳ：Ｑｕａｌｉｔｙ  ｏｆ  Ｓｅｒｖｉｃｅ）維持技術等が重要な要求要素となっている。これらの要求を満たすための技術として、多入力多出力技術（ＭＩＭＯ：Ｍｕｌｔｉｐｌｅ  Ｉｎｐｕｔ  Ｍｕｌｔｉｐｌｅ  Ｏｕｔｐｕｔ）、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、無線資源管理（ＲＲＭ：Ｒａｄｉｏ  Ｒｅｓｏｕｒｃｅ  Ｍａｎａｇｅｍｅｎｔ）、周波数帯域結合（ＣＡ：Ｃａｒｒｉｅｒ  Ａｇｇｒｅｇａｔｉｏｎ）、セル間干渉除去／調停（ＩＣＩＣ：Ｉｎｔｅｒ−Ｃｅｌｌ  Ｉｎｔｅｒｆｅｒｅｎｃｅ  Ｃａｎｃｅｌｌａｔｉｏｎ／Ｃｏｏｒｄｉｎａｔｉｏｎ）、協調複数基地局通信（ＣｏＭＰ：Ｃｏｏｒｄｉｎａｔｅｄ  ＭｕｌｔｉＰｏｉｎｔ）等がある。
【０００３】
これらの技術は、進化した第三世代無線アクセス（ＥＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）であるロングタームエボルーション（ＬＴＥ：Ｌｏｎｇ  Ｔｅｒｍ  Ｅｖｏｌｕｔｉｏｎ）や、その発展系である、進化したロングタームエボルーション（ＬＴＥ−Ａ：Ｌｏｎｇ  Ｔｅｒｍ  Ｅｖｏｌｕｔｉｏｎ−Ａｄｖａｎｃｅｄ）等に採用されている（非特許文献１、２、および３を参照）。
【０００４】
（１）ＬＴＥの上りリンクおよび下りリンクのチャネル構成例
図７は、ＬＴＥにおけるチャネル構成例を示す図である。ＬＴＥの下りリンク（基地局装置ＢＳから端末装置ＵＥへの通信）は、下りリンク制御領域指定チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、下りリンク複合再送要求チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）、下りリンクマルチキャストチャネル（ＰＭＣＨ：Ｐｈｙｓｉｃａｌ  Ｍｕｌｔｉｃａｓｔ  Ｃｈａｎｎｅｌ）、下りリンク共用チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、および下りリンク報知チャネル（ＰＢＣＨ：Ｐｈｙｓｉｃａｌ  Ｂｏｒａｄｃａｓｔ  Ｃｈａｎｎｅｌ）、により構成されている。
【０００５】
これらのチャネルに加えて、端末装置ＵＥが基地局装置ＢＳと同期を取るための基準信号である同期信号（ＳＣＨ：Ｓｙｎｃｈｒｏｎｉｚａｔｉｏｎ  Ｃｈａｎｎｅｌ）、および、信号品質を測定する際および受信信号を復調する際に基準として用いる参照信号（ＲＳ：Ｒｅｆｅｒｅｎｃｅ  Ｓｉｇｎａｌ）も、基地局装置ＢＳから端末装置ＵＥに送信される。
【０００６】
一方、ＬＴＥの上りリンク（端末装置ＵＥから基地局装置ＢＳへの通信）は、ランダムアクセスチャネル（ＲＡＣＨ：Ｒａｎｄｏｍ  Ａｃｃｅｓｓ  Ｃｈａｎｎｅｌ）、上りリンク共用チャネル（ＰＵＳＣＨ：Ｐｈｙｓｉｃａｌ  Ｕｐｌｉｎｋ  Ｓｈａｒｅｄ  Ｃｈａｎｎｅｌ）、および上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）、により構成されている。
【０００７】
これらのチャネルに加えて、信号品質を測定する際および受信信号を復調する際に基準として用いる参照信号（ＲＳ：Ｒｅｆｅｒｅｎｃｅ  Ｓｙｇｎａｌ）も、端末装置ＵＥから基地局装置ＢＳに送信される。
【０００８】
（２）ＬＴＥの下り信号フレームの構成例
図８は、ＬＴＥの下り信号フレームの構成例を示す模式図である。同図において、横軸は周波数を示し、縦軸は時間を示す。ＥＵＴＲＡの下り信号フレームは、複数のリソースブロックによって構成されている。各リソースブロックは、周波数方向における複数のサブキャリア、および、時間方向における複数のＯＦＤＭシンボルにより構成されるリソースブロックを含んでいる。
【０００９】
各リソースブロックの先頭における１〜４ＯＦＤＭシンボルは、下りリンク制御領域として使用される。当該制御領域には、ＰＣＦＩＣＨ、ＰＨＩＣＨ、およびＰＤＣＣＨが配置される。ＰＣＦＩＣＨは、各サブフレームにおいて先頭のＯＦＤＭシンボル中に分散配置される。ＰＣＦＩＣＨには、下りリンク制御領域に使用するＯＦＤＭシンボル数に関する情報が含まれている。
【００１０】
端末装置は、ＰＣＦＩＣＨを復調することによって、下りリンク制御領域を知ることができる。ＰＨＩＣＨは、下りリンク制御領域全体に分散配置される。また、ＰＨＩＣＨには、上りリンクにおいて送信された信号の再送要求に関する情報が含まれている。
【００１１】
下りリンク制御領域において、ＰＣＦＩＣＨ、およびＰＨＩＣＨに使用されていない領域はＰＤＣＣＨの送信に使用される。ＰＤＣＣＨは同じく下りリンク制御領域中に分散配置されている。
【００１２】
各端末装置への下りリソースの割り当てはＰＤＣＣＨにより行われる。各端末装置は下りリンク制御領域中のＰＤＣＣＨをモニターし、自端末宛のＰＤＣＣＨが送信された場合はそのＰＤＣＣＨを復調する。ＰＤＣＣＨにはＰＤＳＣＨの割当て情報が含まれている。また、そのＰＤＳＣＨにおいて使用される変調方式および送信ダイバシティ方式等の通信方式に関する情報も含まれている。
【００１３】
基地局装置から端末装置へは、ＰＤＳＣＨを用いてデータが送信される。端末装置は、受信データに割り当てられたＰＤＳＣＨを復調することによって、端末宛のデータを受信する。ＰＤＳＣＨでは各端末装置固有のデータ以外に、全端末装置に共通のデータも送信される。当該共通データを送信するためのＰＤＳＣＨのリソースの割り当ても、同様に、ＰＤＣＣＨにより行われる。各端末装置はＰＤＣＣＨのモニターを行い、端末共通のＰＤＣＣＨが送信された場合はそのＰＤＣＣＨも復調し、当該復調によって得た情報に従って、割り当てられたＰＤＳＣＨを復調する。
【００１４】
なお、下りリンク信号フレーム中には、前記信号の他に、端末装置が各信号を復調とする際の基準となる参照信号も含まれているが、図中では省略している。
【００１５】
（３）協調複数基地局通信に関する説明
協調複数基地局通信では、複数の基地局装置から信号を送信することによって、送信ダイバシティ効果による受信品質の向上、および空間多重効果による伝送容量の増大を図ることもできる。さらに、協調複数基地局通信では、複数の基地局から１つの端末装置に対して信号を同時に送信し、送信された信号を１つの端末装置で受信することにより、セル端での端末装置の受信特性を改善することができる。
【００１６】
ここでは、協調複数基地局通信の概要について、図９を参照しつつ以下に説明する。図９は、協調複数基地局通信方式の概要を示す図である。セル端に存在する端末装置ＵＥ７００は主となる基地局装置ＢＳ７００からの信号を受信するほかに、周辺の基地局装置ＢＳ７０１およびＢＳ７０２からの信号も同時に受信する。
【００１７】
端末装置ＵＥ７００と基地局装置ＢＳ７００との距離が離れている場合、一般的には受信特性が低下する。このとき、協調複数基地局通信方式では、端末装置ＵＥ７００は、他の基地局装置ＢＳ７０１およびＢＳ７０２からの信号も同時に受信することによって特性の劣化を抑える。端末装置ＵＥ７０１は、端末装置ＵＥ７００と同様に、主に基地局装置ＢＳ７０１と通信するが、端末装置ＵＥ７０１と基地局装置ＢＳ７０１との間の距離が近いため協調受信は行わない。このように、協調複数基地局通信では、端末装置ＵＥの位置により、協調複数基地局通信の基地局として利用する基地局装置の位置および数を適応的に変化させる。
【００１８】
図９に示すように、基地局装置同士は、バックハウルと呼ばれる通信回線で接続されている。例えば、端末装置ＵＥ７００へ送信するデータは、基地局装置ＢＳ７００から送信されるデータと、バックハウルを通じて基地局装置ＢＳ７０１から送信されるデータとにより構成される。バックハウルは有線回線であってもよいし、無線回線であってもよい。また、無線回線を用いる場合、信号通信時に使用する帯域と同じ周波数帯域を用いるインバンド方式を用いてもよいし、信号通信時に使用する帯域とは異なる周波数帯域を用いるアウトオブバンド方式を用いてもよい。
【先行技術文献】
【非特許文献】
【００１９】
【非特許文献１】３ＧＰＰ  ＴＳ  ３６．２１１、Ｖ８．５．０（２００８−１２）、Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  Ｃｈａｎｎｅｌｓ  ａｎｄ  Ｍｏｄｕｌａｔｉｏｎ  （Ｒｅｌｅａｓｅ  ８）
【非特許文献２】３ＧＰＰ  ＴＳ  ３６．８１４、Ｖ１．０．０（２００９−０２）、３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｆｕｒｔｈｅｒ  Ａｄｖａｎｃｅｍｅｎｔｓ  ｆｏｒ  Ｅ−ＵＴＲＡ  Ｐｈｙｓｉｃａｌ  Ｌａｙｅｒ  Ａｓｐｅｃｔｓ  （Ｒｅｌｅａｓｅ  ９）
【非特許文献３】“Ｓｕｍｍａｒｙ  ｆｒｏｍ  ｅｍａｉｌ ｄｉｓｃｕｓｓｉｏｎ ｏｎ ＣｏＭＰ”，３ＧＰＰ ＴＳＧ  ＲＡＮ  ＷＧ１  Ｍｅｅｔｉｎｇ  ＃５６ｂｉｓ，Ｑｕａｌｃｏｍｍ  Ｅｕｒｏｐｅ，Ｓｅｏｕｌ，Ｋｏｒｅａ，Ｍａｒｃｈ  ２３−２７，２００９，Ｒ１−０９１６１７
【発明の概要】
【発明が解決しようとする課題】
【００２０】
協調複数基地局通信システムの基地局として用いる基地局装置の選択では、まず、端末装置がある基地局装置から指示された範囲内に配置されている基地局装置との間の伝搬路の状況を報告する。ここでは、端末装置が伝搬路の状況を報告する基地局装置の集合を報告セットと称する。
【００２１】
端末装置から伝搬路の状況の報告を受けた基地局装置は、報告セットから、端末装置に対する協調複数基地局通信を行うことができる伝搬路状況の基地局装置の部分集合（協調セットと称する）を分割する。協調セットに属する基地局装置は、いずれも端末装置に対する協調複数基地局通信システムの基地局として用いることができる。
【００２２】
ここで、協調複数基地局通信システムでは、本来、端末装置との間で１対１で通信を行っている基地局装置の機能を複数の基地局装置に分散させるため、協調複数基地局通信システムの基地局として利用する基地局装置の数が増加すればするほど、スループットが低下することになる。そのため、非特許文献３では、協調セットから、実際に協調複数基地局通信システムの基地局として用いる基地局装置の部分集合を分割する。ここでは、実際に協調基地局通信システムの基地局として用いられる基地局装置の集合を送信セットと称する。
【００２３】
しかし、非特許文献３には、協調セットから送信セットをどのように設定するのかについて、すなわち協調基地局通信システムの基地局として用いられる基地局装置の選択方法については何ら記載されていない。したがって、非特許文献３に開示されている技術では、送信セットとして設定された基地局装置が、協調複数基地局通信システムの基地局として利用できない場合が生じる。
【００２４】
より具体的には、各基地局装置には、自装置を含むセル内に存在する端末装置との間でも通信を行う必要があるため、自装置を含むセル内に存在する端末装置との間での通信スケジュールの状況によっては、選択された基地局装置が協調複数基地局通信システムの基地局として利用することができないという問題が生じる。
【００２５】
本発明は、上記の問題点に鑑みてなされたものであり、その主たる目的は、協調複数基地局通信システムの基地局として機能させる基地局装置を選択する際に、確実に基地局として利用可能な基地局装置を選択する無線通信システムを提供する。
【課題を解決するための手段】
【００２６】
本発明に係る無線通信システムは、上記課題を解決するために、
ネットワークを介して互いに接続された複数の基地局装置により構成される無線通信システムであって、上記複数の基地局装置のうちのいくつかを単一の端末装置に対する基地局として機能させる無線通信システムにおいて、
上記複数の基地局装置の各々が、
対象端末装置と、上記複数の基地局装置のうち当該対象端末装置と通信可能な基地局装置との間の通信品質を示す品質情報を、当該対象端末装置から受信する受信手段と、
他の基地局装置と、当該他の基地局装置を含むセル内に存在する端末装置との間の通信スケジュールを示すスケジュール情報を、上記ネットワークを介して当該他の基地局装置から取得する取得手段と、
上記対象端末装置に対する基地局として機能させるいくつかの基地局装置を、上記品質情報および上記スケジュール情報に基づいて選択する選択手段と、
を備えていることを特徴としている。
【００２７】
本発明に係る無線通信システムを構成する基地局装置では、対象端末装置と当該対象端末装置に対して通信可能な基地局装置との間の通信品質を示す品質情報、および、他の基地局装置と当該他の基地局装置に属する端末装置との間の通信スケジュールを示すスケジュール情報に基づいて、対象端末装置に対する基地局として機能する基地局装置を複数選択する。
【００２８】
すなわち、本発明に係る無線通信システムを構成する基地局装置では、協調複数基地局通信システムの基地局として機能する基地局装置を、通信品質状況および通信スケジュール状況を考慮して選択することができる。これによって、本発明に係る無線通信システムでは、協調複数基地局通信システムの基地局として選択した基地局装置が、当該基地局装置を含むセル内に存在する端末装置との通信のために、実際には使用できない状況が生じることを防止することができる。言い換えれば、本発明に係る無線通信システムでは、協調複数基地局通信システムの基地局として機能させる基地局装置を選択する際に、確実に基地局として利用可能な基地局装置を選択することができる効果を奏する。
【００２９】
本発明に係る無線通信システムでは、さらに、上記取得手段は、上記スケジュール情報に加えて、他の基地局装置に備えられた受信手段において受信された品質情報を、上記ネットワークを介して当該他の基地局装置から取得し、上記選択手段は、上記対象端末装置に対する基地局として機能させるいくつかの基地局装置を、上記取得手段において取得した品質情報およびスケジュール情報に基づいて選択することが好ましい。
【００３０】
上記の構成によれば、対象端末装置から品質情報を受信していない基地局装置であっても、他の基地局装置において受信した品質情報に基づいて、協調複数基地局通信システムの基地局として機能させる基地局装置を選択することができる。
【００３１】
これによって、本発明に係る無線通信システムを構成する基地局装置であれば、いずれの基地局装置であっても、協調複数基地局通信システムの基地局として機能する基地局装置を選択することができる効果を奏する。
【００３２】
本発明に係る無線通信システムでは、さらに、上記複数の基地局装置の各々が、上記選択手段により選択された基地局装置を上記対象端末装置に通知する通知手段をさらに備えており、上記通知手段は、上記選択手段において選択した基地局装置の集合を表すセット情報を用いて、上記対象端末装置に対する基地局として機能する基地局装置を上記対象端末装置に通知することが好ましい。
【００３３】
上記の構成によれば、本発明に係る無線通信システムを構成する基地局装置では、選択した協調複数基地局通信システムの基地局として機能する基地局装置を、選択した基地局装置の集合を表すセット情報を用いて端末装置に対して通知する。
【００３４】
これによって、協調複数基地局通信の基地局として機能する基地局装置が変更される場合であっても、協調複数基地局通信の基地局として機能する基地局装置として設定された基地局装置がいずれであるのかを、少ないデータ容量で効率良く対象端末装置に対して通知することができる効果を奏する。
【００３５】
本発明に係る無線通信システムでは、さらに、上記選択手段は、上記対象端末装置に対する基地局として機能させるいくつかの基地局装置を、上記受信手段において受信した品質情報であって、直近に受信した所定数の品質情報および上記スケジュール情報に基づいて選択することが好ましい。
【００３６】
上記の構成によれば、本発明に係る無線通信システムを構成する基地局装置では、対象端末装置から受信した品質情報のうち、直近に受信した所定数の品質情報を用いて、協調複数基地局通信の基地局として機能する基地局装置を選択する。
【００３７】
これによって、対象端末装置から送信される品質情報の数が多い場合であっても、協調複数基地局通信の基地局として機能する基地局装置の選択に参照される品質情報の信頼性が低下することを防止することができる効果を奏する。
【００３８】
本発明に係る無線通信システムでは、さらに、上記対象端末装置は、上記複数の基地局装置の各々から受信した所定の信号に基づいて、当該対象端末装置と当該複数の基地局装置の各々との間の通信品質を示す品質情報を生成する生成手段と、上記生成手段において生成した品質情報を上記複数の基地局装置のいずれかに送信する送信手段と、を備えていることが好ましい。
【００３９】
本発明に係る無線通信システムにおいて、上記の構成の対象端末装置を使用することにより、基地局装置では、協調複数基地局通信システムの基地局として機能する基地局装置を選択する際に、確実に基地局として利用可能な基地局装置を選択することができる効果を奏する。
【００４０】
本発明に係る無線通信システムでは、さらに、上記対象端末装置が、上記複数の基地局装置のうち、当該対象端末装置との間の通信品質を示す品質情報を報告する対象とする報告対象基地局装置を選択する基地局選択手段をさらに備えており、上記生成手段は、当該対象端末装置と上記基地局選択手段において選択された報告対象基地局装置との間の通信品質を示す品質情報を生成することが好ましい。
【００４１】
上記の構成によれば、対象端末装置は、複数の基地局装置のうち、自装置との間の通信品質を示す品質情報を報告する対象とする基地局装置を選択し、選択した基地局装置の各々との間の通信品質を示す品質情報を生成する。
【００４２】
これによって、対象端末装置において生成する品質情報の数を削減することができるため、自装置において生じる品質情報生成の負荷を軽減することができる。また、上り信号（対象端末装置から基地局装置へ送信される信号）で送信する品質情報の送信量を削減することができる効果を奏する。
【００４３】
また、選択手段が品質情報の良し悪しに応じて報告対象基地局装置を選択する場合には、複数の基地局装置の中に含まれている当該端末装置との間の通信品質が良好でない基地局装置を除外することもできる。
【００４４】
本発明に係る無線通信システムでは、さらに、上記対象端末装置が、上記複数の基地局装置のうち当該対象端末装置と通信可能な基地局装置との間の通信品質を示す品質情報を報告する対象とする報告対象基地局装置を選択する基地局選択手段をさらに備えており、上記送信手段は、上記生成手段において生成した品質情報のうち、上記基地局選択手段において選択された報告対象基地局装置との間の品質情報を上記複数の基地局装置のいずれかに送信することが好ましい。
【００４５】
上記の構成によれば、対象端末装置は、生成した品質情報のうち、選択した基地局装置との間の品質情報のみを複数の基地局装置のいずれかに送信する。
【００４６】
これによって、複数の基地局装置の中に端末装置との通信品質が良好でない基地局装置が含まれている場合に、対象端末装置において通信品質が良好でない基地局装置を除外することができる効果を奏する。
【００４７】
これによって、上り信号（対象端末装置から基地局装置へ送信される信号）で送信する品質情報の送信量を削減することができる効果を奏する。
【００４８】
また、選択手段が品質情報の良し悪しに応じて報告対象基地局装置を選択する場合には、複数の基地局装置の中に含まれている当該端末装置との間の通信品質が良好でない基地局装置を除外することもできる。
【００４９】
本発明に係る無線通信システムでは、さらに、上記生成手段は、上記複数の基地局装置の各々を表す識別情報の代わりに、当該識別情報との対応関係が予め定められた指標であって、当該識別情報よりも情報容量の小さい指標が関連付けた品質情報を生成することが好ましい。
【００５０】
上記の構成によれば、本発明に係る無線通信システムにおいて用いられる対象端末装置では、上記複数の基地局装置の各々を表す識別情報の代わりに、当該識別情報との対応関係が予め定められた指標であって、当該識別情報よりも情報容量の小さい指標が関連付けられて品質情報を生成する。すなわち、生成手段は、識別情報よりも情報容量の小さい指標を用いて品質情報を生成する。
【００５１】
これによって、本発明に係る無線通信システムにおいて用いられる端末装置から基地局装置に対して送信するデータ容量を低減することができる効果を奏する。
【００５２】
本発明に係る基地局装置では、上記課題を解決するために、
ネットワークを介して互いに接続された複数の基地局装置により構成される無線通信システムであって、上記複数の基地局装置のうちのいくつかを単一の端末装置に対する基地局として機能させる無線通信システムに含まれる基地局装置であって、
対象端末装置と、上記複数の基地局装置のうち当該対象端末装置と通信可能な基地局装置との間の通信品質を示す品質情報を、当該対象端末装置から受信する受信手段と、
他の基地局装置と、当該他の基地局装置を含むセル内に存在する端末装置との間の通信スケジュールを示すスケジュール情報を、上記ネットワークを介して当該他の基地局装置から取得する取得手段と、
上記対象端末装置に対する基地局として機能させるいくつかの基地局装置を、上記品質情報および上記スケジュール情報に基づいて選択する選択手段と、
を備えていることを特徴としている。
【００５３】
上記の構成によれば、本発明に係る無線通信システムと同様の作用効果を奏する。すなわち、協調複数基地局通信システムの基地局として機能する基地局装置を選択する際に、確実に基地局として利用可能な基地局装置を選択することができる効果を奏する。
【００５４】
本発明に係る無線通信システムにおける制御方法では、上記課題を解決するために、
ネットワークを介して互いに接続された複数の基地局装置により構成される無線通信システムであって、上記複数の基地局装置のうちのいくつかを単一の端末装置に対する基地局として機能させる無線通信システムにおける制御方法において、
対象端末装置と、上記複数の基地局装置のうち当該対象端末装置と通信可能な基地局装置との間の通信品質を示す品質情報を、当該対象端末装置から受信する受信ステップと、
他の基地局装置と、当該他の基地局装置を含むセル内に存在する端末装置との間の通信スケジュールを示すスケジュール情報を、上記ネットワークを介して当該他の基地局装置から取得する取得ステップと、
上記対象端末装置に対する基地局として機能させるいくつかの基地局装置を、上記品質情報および上記スケジュール情報に基づいて選択する選択ステップと、
を含むことを特徴としている。
【００５５】
上記の構成によれば、本発明に係る無線通信システムと同様の作用効果を奏する。
【００５６】
本発明に係る基地局装置を動作させるためのプログラムであって、コンピュータを上記の各手段として機能させることを特徴とするプログラム、および、当該プログラムを記録しているコンピュータ読み取り可能な記録媒体も本発明の範疇に含まれる。
【発明の効果】
【００５７】
本発明に係る無線通信システムを構成する基地局装置では、対象端末装置と当該対象端末装置に対して通信可能な基地局装置との間の通信品質を示す品質情報、および、他の基地局装置と当該他の基地局装置に属する端末装置との間の通信スケジュールを示すスケジュール情報に基づいて、対象端末装置に対する基地局として機能する基地局装置を複数選択する。
【００５８】
これによって、本発明に係る無線通信システムでは、協調複数基地局通信システムの基地局として機能させる基地局装置を選択する際に、確実に基地局として利用可能な基地局装置を選択することができる効果を奏する。
【図面の簡単な説明】
【００５９】
【図１】本発明に係る無線通信システムを構成する基地局装置の要部構成を示すブロック図である。
【図２】本発明に係る無線通信システムにおいて用いられる端末装置の要部構成を示すブロック図である。
【図３】協調複数基地局通信システムにおける基地局の設定手法を模式的に示す図である。
【図４】基地局装置と基地局装置ＩＤと報告用インデックスとの対応関係の一例を示す図である。
【図５】送信セットとして設定された基地局装置を通知する通知方法の一例を示す図であり、（ａ）はＢＳ１、ＢＳ２およびＢＳ３を送信セットとして設定したことを通知する方法であり、（ｂ）はＢＳ１およびＢＳ４を送信セットとして設定したことを通知する方法である。
【図６】本発明に係る無線通信システムの変形例を示す図である。
【図７】ＬＴＥにおけるチャネル構成例を示す図である。
【図８】ＬＴＥの下り信号フレームの構成例を示す模式図である。
【図９】協調複数基地局通信方式の概要を示す図である。
【発明を実施するための形態】
【００６０】
本発明に係る無線通信システムの一実施形態について、図１〜図６を参照しつつ以下に説明する。
【００６１】
本発明に係る無線通信システムは、基地局装置が配置された複数のセルにより構成されている。各セルには、少なくとも１つの基地局装置が配置されている。各セル内には、端末装置ＵＥが出入りし、あるセル内の端末装置は、主として、同じセル内の基地局装置ＢＳと通信する。ただし、あるセル内の端末装置と同じセル内の基地局装置との間の距離が離れている場合などは、同じセルに配置されている基地局装置に加えて、他のセルに配置されている基地局装置とも通信する。すなわち、協調複数基地局通信を行う。なお、各基地局装置は、所定の基地局間ネットワークにより互いに接続されている。
【００６２】
（端末装置ＵＥの構成）
まず、本発明に係る無線通信システムにおいて用いられる端末装置の要部構成について、図２を参照しつつ以下に説明する。図２は、端末装置ＵＥの要部構成を示すブロック図である。端末装置ＵＥは、基地局装置から送信される下り信号を受信すると共に、基地局装置に対して上り信号を送信する（図７参照）。
【００６３】
端末装置ＵＥは、図２に示すように、受信部２００、受信信号処理部２１０、制御情報抽出部２２０、伝搬路状況測定部２３０、伝搬路状況データ生成部２４０、伝搬路状況データ報告基地局選択部２５０、送信信号処理部２６０、送信部２７０および制御部２８０を備えている。これらの各部材について以下に詳細に説明する。
【００６４】
（受信部２００、受信信号処理部２１０）
受信部２００は、基地局装置から送信される下り信号（下りチャンネル）を受信するアンテナを備えている。受信部２００は、受信アンテナの受信した下り信号を受信信号処理部２１０に対して出力する。
【００６５】
受信信号処理部２１０は、入力された下り信号を受信データに復調するなどの処理を行う。また、受信信号処理部２１０は、基地局装置から送信される下り信号に多重化されている制御情報を分離して制御情報抽出部２２０に出力する。
【００６６】
（制御情報抽出部２２０）
制御情報抽出部２２０は、入力された制御情報から、基地局装置より通知される制御データなどを抽出する。
【００６７】
（伝搬路状況測定部２３０）
伝搬路状況測定部２３０は、基地局装置から送信される下り信号に多重化されている参照信号に基づいて、端末装置ＵＥと各基地局装置との間の伝搬路の状況を測定する。
【００６８】
より具体的には、伝搬路状況測定部２３０は、各基地局装置から受信した参照信号のデータ系列と、端末装置ＵＥの記憶部に予め記録されている参照信号のデータ系列とを比較することにより、参照信号を送信した基地局装置と端末装置ＵＥとの間の伝搬路の状況を算出する。
【００６９】
すなわち、伝搬路状況測定部２３０は、端末装置ＵＥと端末装置ＵＥに参照信号を送信した送信元の基地局装置との間での通信品質を測定するものであると換言することができる。
【００７０】
（伝搬路状況データ生成部２４０）
伝搬路状況データ生成部２４０は、伝搬路状況測定部２４０において測定された伝搬路の状況を基地局装置に対して送信するための伝搬路状況データ（品質情報）を生成する。
【００７１】
伝搬路状況データの生成手法については、下記に詳述するため、ここではその説明を省略する。
【００７２】
（伝搬路状況データ報告基地局選択部２５０）
伝搬路状況データ報告基地局選択部２５０は、伝搬路状況データ生成部２４０において生成した伝搬路状況データのうち、ある基地局装置に対して報告する伝搬路状況データを選択する。すなわち、伝搬路状況データ報告基地局選択部２５０は、どの基地局装置との間の伝搬路状況データを報告するのかの選択を行う。
【００７３】
なお、図２では、伝搬路情報データ報告基地局選択部２５０が伝搬路状況データ生成部２４０の後段の処理となるように図示されているが、これに限定されるものではない。伝搬路状況データ生成部２４０と伝搬路情報データ報告基地局選択部２５０との処理順序は、下記の（伝搬路状況データの生成）の項において記載するように、逆であってもよい。
【００７４】
（送信信号処理部２６０、送信部２７０）
送信信号処理部２６０は、伝搬路状況データ生成部２４０において生成された伝搬路状況データのうち、伝搬路状況データ報告基地局選択部２５０においてて選択された伝搬路状況データを他の送信データに多重化することにより、上り信号を作成する。
【００７５】
送信部２７０は、上り信号を基地局装置に送信する送信アンテナを備えている。送信部２７０は、入力された上り信号を送信アンテナを介して基地局装置に送信する。
【００７６】
なお、上り信号を送信する対象となる基地局装置は、端末装置ＵＥの存在するセルに配置されている基地局装置にであってもよいし、端末装置ＵＥの存在するセルとは異なるセルに配置されている基地局装置にであってもよい。すなわち、送信する上り信号を受信する基地局装置は、端末装置ＵＥとの間で通信可能な基地局装置であれば、いずれの基地局装置であってもよい。また、送信する上り信号を受信する基地局装置は１つであってもよいし、複数であってもよい。
【００７７】
（制御部２８０）
制御部２８０は、端末装置ＵＥに備えられる各部材全体の動作を制御する。
【００７８】
（基地局装置ＢＳの構成）
次に、本発明に係る無線通信システムを構成するセルに配置される基地局装置について、図１を参照しつつ以下に説明する。図１は、基地局装置ＢＳの要部構成を示すブロック図である。基地局装置ＢＳは、基地局装置から送信される上り信号を受信すると共に、基地局装置に対して下り信号を送信する（図７参照）。
【００７９】
基地局装置ＢＳは、図１に示すように、受信部１００、受信信号処理部１１０、伝搬路状況記憶部１２０、端末位置情報推定部１３０、バックハウルインターフェース１４０、スケジュール部１５０、ＣｏＭＰセル情報決定部１６０、受信信号処理部１７０、受信部１８０および制御部１９０を備えている。
【００８０】
（受信部１００、受信処理部１１０）
受信部１００は、端末装置ＵＥから送信される上り信号（上りチャンネル）を受信するアンテナを備えている。受信部１００は、受信アンテナの受信した上り信号を受信信号処理部１１０に対して出力する。
【００８１】
受信処理部１１０は、入力された上り信号から受信データを復調するなどの処理を行う。また、受信処理部１１０は、入力された上り信号に多重化されている伝搬路状況データを分離する。
【００８２】
（伝搬路状況記憶部１２０）
伝搬路状況記憶部１２０は、受信処理部１１０において分離した伝搬路状況データを記憶する記憶部である。したがって、基地局装置ＢＳにおいて伝搬路状況データを参照する際には、伝搬路状況記憶部１２０から伝搬路状況データを読み出す。
【００８３】
（端末位置情報推定部１３０）
端末位置情報推定部１３０は、伝搬路状況記憶部１２０から読み出した伝搬路状況データおよび、当該伝搬路状況データを送信した端末装置の存在するセルを示すセル位置情報に基づいて、端末装置の存在している位置を推定し、端末位置情報を生成する。
【００８４】
なお、受信部１００において端末装置から受信したセル位置情報は、受信信号処理部１１０を介して、端末位置情報推定部１３０に出力される。
【００８５】
（バックハウルインターフェース１４０）
バックハウルインターフェース１４０は、基地局間ネットワークを介したデータのやり取りに用いるインターフェースである。
【００８６】
より具体的には、バックハウルインターフェース１４０は、伝搬路状況記憶部１２０から読み出した伝搬路状況データを、基地局間ネットワークを介して他の基地局装置ＢＳに対して送信する。また、バックハウルインターフェース１４０は、他の基地局間装置ＢＳから送信された伝搬状況データを受信する。なお、他の基地局装置ＢＳから受信した伝搬路状況データは、受信部１００において受信した上り信号に多重化されている伝搬路状況データと同様に、伝搬路状況記憶部１２０に記憶される。
【００８７】
バックハウルインターフェース１４０は、伝搬路状況データ以外にも、協調複数基地局通信を行う際に端末装置に対して送信する送信データ、端末装置の存在するセルを示すセル位置情報および送信データを送信するスケジュールを表すスケジュール情報を基地局間ネットワークを介して送受信する際にも用いられる。
【００８８】
（スケジュール部１５０）
スケジュール部１５０は、端末装置へ送信する下り信号をスケジューリングする。また、スケジュール部１５０は、基地局装置ＢＳから下り信号を送信する周波数領域および送信タイミング（送信時刻）を含むスケジュール情報を生成する。
【００８９】
生成したスケジュール情報は、バックハウルインターフェース１４０に出力され、基地局間ネットワークを介して他の基地局装置ＢＳに対して送信される。自装置において生成されたスケジュール情報および他の基地局装置ＢＳから基地局間ネットワークを介して送信されたスケジュール情報は、スケジュール部１５０の有する不図示の記憶部に記憶しておくようにしてもよいし、別の記憶部に記憶しておくようにしてもよい。
【００９０】
（ＣｏＭＰセル情報決定部１６０）
ＣｏＭＰセル情報決定部１６０は、協調複数基地局通信を行う際に端末装置の基地局として機能する基地局装置ＢＳを設定する。
【００９１】
より具体的には、ＣｏＭＰセル情報決定部１６０は、端末位置情報推定部１３０において推定した端末位置情報、伝搬路状況記憶部１２０から読み出した伝搬路状況データおよび不図示の記憶部から読み出したスケジュール情報に基づいて、協調複数基地局通信システムの基地局として機能する基地局装置ＢＳを選択する。すなわち、ＣｏＭＰセル情報決定部１６０は、送信セットを設定する。送信セットのより詳細な設定方法については、参照する図面を代えて説明するため、ここではその説明を省略する。
【００９２】
設定された送信セットの情報、すなわち、どの基地局装置を協調複数基地局通信システムの基地局として機能する基地局装置として用いるのかの情報は、バックハウルインターフェース１４０に出力され、基地局間ネットワークを介して他の基地局装置ＢＳに対して通知される。
【００９３】
（送信信号処理部１７０、送信部１８０）
送信信号処理部１７０は、端末装置に対して送信する送信データを含む下り信号を生成する。このとき、送信信号処理部１７０は、スケジュール部１５０において規定されたスケジュールに基づいて、生成した下り信号を送信部１８０に対して出力する。また、送信信号処理部１７０では、下り信号に対して制御情報を多重化する。
【００９４】
送信部１８０は、下り信号を端末装置に送信する送信アンテナを備えている。送信部１８０は、入力された下り信号を送信アンテナを介して端末装置に対して送信する。
【００９５】
また、送信部１８０は、ＣｏＭＰセル情報決定部１６０において設定された送信セットに属する基地局装置がいずれであるのかを端末装置ＵＥに対して通知する。
【００９６】
なお、協調複数基地局通信を行う場合、送信データは、基地局間ネットワークを介して、協調複数基地局通信システムの基地局として機能する各基地局装置ＢＳにも送信される。すなわち、協調複数基地局通信システムの基地局として機能する各基地局装置ＢＳは、本来端末装置の基地局として機能する基地局装置ＢＳと同様に、受信した送信データを含む下り信号を生成する。そして、スケジュール情報にしたがって、生成した下り信号を端末装置に送信する。
【００９７】
（制御部１９０）
制御部１９０は、基地局装置ＢＳに備えられる各部材全体の動作を制御する。
【００９８】
（送信セットの設定手法）
次に、協調複数基地局通信システムの基地局として機能させる基地局装置の選択手法、すなわち送信セットの設定手法について、図３を参照しつつ以下に説明する。図３は、協調複数基地局通信システムにおける基地局の設定手法を模式的に示す図である。本項では、端末装置ＵＥ１に対して協調複数基地局通信を行う場合を例に挙げて説明する。
【００９９】
ここで、本項において単に基地局装置ＢＳと記載した場合には、図３に示す基地局装置ＢＳ１〜ＢＳ１９のうちの任意の基地局装置ＢＳを指すものとする。
【０１００】
まず、基地局装置ＢＳから伝搬路状況の報告要求を受けた端末装置ＵＥ１は、自装置と通信が可能な基地局装置ＢＳ１〜ＢＳ１１および基地局装置ＢＳ１９との間の伝搬路の状況を示す伝搬路状況データ（品質情報）を、自装置の存在するセルに配置されている基地局装置ＢＳ３に送信する。すなわち、本実施形態では、端末装置ＵＥ１が伝搬路状況データを報告する基地局装置ＢＳの集合を報告セットと称する（図３における実線内の基地局装置ＢＳ１〜ＢＳ１１およびＢＳ１９）。
【０１０１】
この報告セットを構成する基地局装置ＢＳの集合は、端末装置ＵＥ１が自装置と通信が可能な基地局装置を独自に選択したものを報告セットとしてもよいが、他の手法により報告セットを設定してもよい。
【０１０２】
例えば、基地局装置ＢＳが伝送路状況の報告要求を行う際などに報告セットを構成する基地局装置ＢＳの集合を指定し、端末装置ＵＥ１がその指定された基地局装置ＢＳの集合に属する全ての基地局装置ＢＳについて伝搬路状況データを報告するようにしてもよい。また、端末装置ＵＥ１が、基地局装置ＢＳが指定した基地局装置ＢＳの集合のなかからさらに独自に選択した基地局装置ＢＳの集合を報告セットしてもよい。
【０１０３】
端末装置ＵＥ１から伝搬路状況データを受信した基地局装置ＢＳ３は、基地局間ネットワークを介して、受信した伝搬路状況データを他の基地局装置ＢＳに送信する。これによって、端末装置ＵＥ１から送信された伝搬路状況データは、無線通信システムを構成する全ての基地局装置ＢＳにおいて共有化されることになる。
【０１０４】
伝搬路状況データを取得した基地局装置ＢＳ３は、伝搬路状況データならびに当該伝搬路状況データおよびセル位置情報を参照して推定する端末装置ＵＥ１の端末位置情報に基づいて、協調複数基地局通信システムの基地局として機能させることができる可能性のある基地局装置ＢＳを選択する。
【０１０５】
より具体的には、基地局装置ＢＳ３は、報告セットに含まれる基地局装置ＢＳ１〜ＢＳ１１およびＢＳ１９のうち、端末装置ＵＥ１と通信を行う際に、所定の通信品質を確保できる基地局装置ＢＳを選択する。本実施形態では、報告セットの中から、伝搬路状況データを考慮して選択した基地局装置ＢＳの部分集合を協調セットと称する。本実施形態では、図３に示すように、協調セットとして基地局装置ＢＳ１〜ＢＳ７を選択した場合を例に挙げて説明する。
【０１０６】
次に、基地局装置ＢＳ３は、基地局間ネットワークを介して、各基地局装置ＢＳが自装置に属する端末装置との間で行う無線通信の通信スケジュールを示すスケジュール情報を取得する。ここで、基地局装置ＢＳ３が取得するスケジュール情報は、各基地局装置ＢＳが自装置に属する端末装置との間で行う無線通信の通信周波数および無線通信の通信タイミング（通信時刻）を含む情報である。
【０１０７】
また、伝搬路状況データと同様に、スケジュール情報も基地局間ネットワークを介して送信され、無線通信システムを構成する全ての基地局装置ＢＳにおいて共有化される。すなわち、基地局装置ＢＳ３は、他の基地局装置ＢＳが、どのタイミングで、どの周波数を用いて無線通信を行うのかを把握することができる。もちろん、基地局装置ＢＳ３以外の他の基地局装置ＢＳにおいてもまた然りである。
【０１０８】
続いて、基地局装置ＢＳ３は、取得したスケジュール情報に基づいて、協調複数基地局通信システムの基地局として機能させる基地局装置ＢＳを選択する。より具体的には、基地局装置ＢＳ３は、協調セットに含まれる基地局装置ＢＳ１〜ＢＳ７のうち、端末装置ＵＥ１との通信を行うことができる基地局装置ＢＳを選択する。すなわち、基地局装置ＢＳ３は、端末装置ＵＥ１に対して下り信号を送信する送信タイミングにおいて通信周波数に空きが生じている基地局装置ＢＳを選択する。本実施形態では、協調セットの中から、スケジュール情報を考慮して選択した基地局装置ＢＳの部分集合を送信セットと称する。本実施形態では、図３に示すように、送信セットとして基地局装置ＢＳ１〜ＢＳ３を選択した場合を例に挙げて説明する。
【０１０９】
次に、基地局装置ＢＳ３は、基地局間ネットワークを介して、選択した基地局装置ＢＳ１およびＢＳ２に対して協調複数基地局通信を行うことを通知する。また、同時に、端末装置ＵＥ１に対して送信する送信データおよび送信データを送信する際に参照するスケジュール情報についても、基地局間ネットワークを介して、基地局装置ＢＳ１およびＢＳ２に対して送信する。
【０１１０】
本実施形態では、端末装置ＵＥ１の存在するセルに配置されている基地局装置ＢＳ３において送信セットを設定する場合を例に挙げて説明しているが、もちろんこれに限定されるものではない。上述したように、伝搬路状況データおよびスケジュール情報のいずれも基地局装置ＢＳにおいて共有化されているため、端末装置ＵＥ１の存在するセルに配置されている基地局装置ＢＳ３以外の基地局装置ＢＳにおいても、基地局装置ＢＳ３と同様にして送信セットを設定することができる。また、伝搬路状況データを端末装置ＵＥ１から受信する基地局装置ＢＳと異なる基地局装置ＢＳが送信セットを設定するようにしてもよい。
【０１１１】
また、本実施形態では、伝搬路状況データを基地局装置ＢＳ３に対して送信する場合を例に挙げて説明しているが、もちろんこれに限定されるものではなく、自装置と通信可能な基地局装置ＢＳであれば他の基地局装置ＢＳであってもよい。また、端末装置ＵＥ１は、複数の基地局装置に対して伝搬路状況データを送信するようにしてもよい。
【０１１２】
なお、本実施形態では、送信セットの設定手法についての理解を容易にするために、伝搬路状況データを用いて協調セットを設定し、設定した協調セットからスケジュール情報に基づいて送信セットを設定する動作で送信セットの設定手法を説明したが、もちろんこれに限定されるものではない。すなわち、基地局装置ＢＳは、報告セットに属する基地局装置ＢＳから伝搬路状況データおよびスケジュール情報に基づいて送信セットを設定するようにしてもよい。また、伝搬路状況データおよびスケジュール情報の取得順も上述した動作に限定されるものではなく、スケジュール情報を取得した後に伝搬路状況データを取得してもよいし、同時に取得するようにしてもよい。
【０１１３】
（無線通信システムにおける基地局装置ＢＳの利点）
以上説明したように、本実施形態に係る無線通信システムを構成する基地局装置ＢＳでは、端末装置ＵＥと端末装置ＵＥからの報告に含まれる基地局装置ＢＳとの間の伝搬路状況データ、および、他の基地局装置ＢＳと他の基地局装置ＢＳに属する端末装置との間のスケジュール情報に基づいて、端末装置ＵＥに対して協調複数基地局通信を行う際に、協調複数基地局通信システムの基地局として機能する基地局装置ＢＳを複数選択する。
【０１１４】
すなわち、基地局装置ＢＳでは、協調複数基地局通信システムの基地局として機能させる基地局装置ＢＳを、通信品質の状況および通信スケジュール状況を考慮して選択することができる。これによって、本実施形態に係る無線通信システムでは、協調複数基地局通信システムの基地局として選択した基地局装置ＢＳが、その基地局装置ＢＳに属する端末装置との通信のために、実際には使用できない状況が生じることを防止することができる。これは、特に報告セットが基地局装置ＢＳが指定する基地局装置の集合がそのまま報告セットとなる場合ではなく、端末装置ＵＥが独自に報告セットを設定する場合、または基地局装置ＢＳが指定する基地局装置の集合からさらに報告セットを設定する場合に、特に有効である。これらの場合では、端末装置ＵＥが報告セットとして設定した基地局装置ＢＳの集合が、必ずしも他の基地局装置ＢＳと他の基地局装置ＢＳに属する端末装置との間のスケジュール情報を考慮したものになっていないためである。言い換えれば、本実施形態に係る無線通信システムでは、協調複数基地局通信システムの基地局として機能させる基地局装置ＢＳを選択する際に、確実に基地局として利用可能な基地局装置ＢＳを選択することができる。
【０１１５】
また、基地局装置ＢＳでは、端末装置ＵＥから伝搬路状況データを受信していない基地局装置ＢＳであっても、他の基地局装置ＢＳにおいて受信した伝搬路状況データに基づいて、協調複数基地局通信システムの基地局として機能させる基地局装置ＢＳを選択することができる。すなわち、本実施形態に係る無線通信システムを構成する基地局装置ＢＳであればいずれの基地局装置ＢＳであっても、協調複数基地局通信システムの基地局として機能させる基地局装置を選択することができる。
【０１１６】
（伝搬路状況データの生成）
次に、端末装置ＵＥの伝搬路状況データ生成部２４０における伝搬路状況データの生成の詳細について、図４を参照しつつ以下に説明する。図４は、基地局装置ＢＳと基地局装置ＩＤと報告用インデックスとの対応関係の一例を示す図である。
【０１１７】
伝搬路状況データ生成部２４０は、ある基地局装置ＢＳの伝搬路状況に、ある基地局装置ＢＳを一意に識別する固有の識別ＩＤを関連付けることにより伝搬路状況データを生成する。伝搬路状況データ生成部２４０は、基地局装置ＢＳにより指定される基地局装置の集合に属する基地局装置すべてを報告セットとし、報告セットに属する基地局装置すべての伝搬路状況データを生成すればよい。
【０１１８】
また、これ以外にも、伝搬路状況データ報告基地局選択部２５０が、基地局装置ＢＳにより指定される基地局装置の集合から基地局装置を選択することによって報告セットを設定し、設定した報告セットに属する基地局装置の伝搬路状況データを生成するようにしてもよい。さらに、伝搬路状況データ報告基地局選択部２５０が自装置と通信可能な基地局装置を独自に報告セットとして設定し、設定した報告セットに属する基地局装置の伝搬路状況データを生成するようにしてもよい。
【０１１９】
伝搬路状況データ報告基地局選択部２５０が、基地局装置ＢＳにより指定される基地局装置の集合に属する基地局装置の中から基地局装置を選択することにより報告セットを設定する場合、報告セットとして選択される基地局装置の数は、最初に基地局装置ＢＳが指定した基地局装置の数以下となる。このため、端末装置ＵＥは生成する伝搬路状況データの数を削減することができ、自装置における負荷を軽減することができる。これによって、上り信号で送信する伝搬路状況データの送信量を削減することができる。
【０１２０】
基地局装置ＢＳの識別ＩＤは、通常１０ビット程度であるため、報告セットに属する基地局装置ＢＳの数が多くなると、端末装置ＵＥから基地局装置ＢＳへのデータ送信量も多くなる。また、実際に協調複数基地局通信を行う際にも、基地局装置ＢＳは、送信セットとして設定されている基地局装置ＢＳがいずれであるのかを端末装置ＵＥに対して通知する必要がある場合もあるため、識別ＩＤのデータ容量は小さい方が好ましい。
【０１２１】
なお、伝搬路状況データ生成部２４０が、基地局装置ＢＳにより指定される基地局装置の集合に属する基地局装置すべての伝搬路状況データを生成し、生成された伝搬路状況データのうち、伝搬路状況データ報告基地局選択部２５０において選択した基地局装置についての伝搬路状況データのみを、基地局装置に送信するようにしてもよい。この場合であっても上り信号で送信する伝搬路状況データの送信量を削減することができる。
【０１２２】
また、端末装置ＵＥがある基地局装置から指示された範囲内に配置されている基地局装置との間の伝搬路の状況を報告する際、基地局装置から指示された範囲内に配置されている基地局装置の中に当該端末装置ＵＥとの通信品質が良好でない基地局装置が含まれている可能性がある。その場合には、当該端末装置ＵＥとの通信品質が良好でない基地局装置を、当該端末装置に対する協調複数基地局通信システムの基地局の一つとして使用するのは不適切であるという問題も生じる。
【０１２３】
このような問題を解決するために、伝搬路状況データ報告基地局選択部２５０は、基地局装置ＢＳにより指定される基地局装置の集合から基地局装置を選択する際に、伝搬路状況（すなわち、通信品質）が良好でない基地局装置を除外するように報告セットを設定することが好ましい。伝搬路状況が良好であるか否かは、通信品質が所定の閾値よりも良いか否かにより判定するようにすればよい。これによって、端末装置ＵＥでは、基地局装置から指示された範囲内に配置されている基地局装置の中に端末装置ＵＥとの通信品質が良好でない基地局装置が含まれている場合には、通信品質が良好でない基地局装置を除外して報告セットを設定することができる。
【０１２４】
さらに、伝搬路状況データ生成部２４０は、識別ＩＤの代わりに、識別ＩＤよりもデータ容量の小さい報告用インデックスを伝搬路状況に関連付けて伝搬路状況データを生成するようにすることが好ましい。報告用インデックスのデータ容量は、識別ＩＤよりも小さければ特に限定されるものではないが、通常３〜４ビット程度であることが好ましい。
【０１２５】
本実施形態における図４では、基地局装置ＢＳ１〜ＢＳ７に対して、報告用インデックス１〜７が対応付けられている場合を例に挙げている。例えば、識別ＩＤ（図４における基地局装置ＩＤ）が「００１」である基地局装置ＢＳ１の報告用インデックスが「１」であり、端末装置ＵＥと基地局装置ＢＳとの伝搬路状況が「２９」である場合、伝搬路状況データ生成部２４０は、伝搬路状況「２９」に対して、報告用インデックス「１」を関連付けて伝搬路状況データを生成する。
【０１２６】
このように、識別ＩＤよりもデータ容量の小さい報告用インデックスを用いて伝搬路状況データを生成することにより、端末装置ＵＥから基地局装置に対して送信する送信伝搬路状況データのデータ容量を低減することができる。
【０１２７】
なお、識別ＩＤと報告用インデックスとの対応関係を示す情報は、伝搬路状況データの報告を端末装置ＵＥに対して要求する際に、端末装置に通知しておくようにすればよい。また、端末装置ＵＥが基地局装置ＢＳに最初に接続したのち、基地局装置ＢＳに関する情報を基地局装置ＢＳから取得する際にあわせて取得するようにしてもよい。
【０１２８】
（伝搬路状況データの選択）
上記で説明したように、端末装置ＵＥは、自装置との間で通信可能な各基地局装置ＢＳ（すなわち、報告セットに属する基地局装置ＢＳ）との間の伝搬路状況データを任意の基地局装置ＢＳに送信する。このとき、報告セットに含まれる基地局装置ＢＳの数が多い場合には、端末装置ＵＥから伝搬路状況を受信する基地局装置ＢＳは、報告セットに属する全ての基地局装置ＢＳに対する伝搬路状況データを受信するのに時間がかかる。この場合、伝搬路状況データは時間と共に変化するため、初めの方に受信した伝搬路状況データに対する信頼性が低下してしまう。
【０１２９】
したがって、基地局装置ＢＳでは、伝搬路状況データに対する信頼性を確保するために、直近に受信した所定数の伝搬路状況データを送信セットとして設定する基地局装置ＢＳの選択に用いることが好ましい。例えば、５つの伝搬路状況データを用いて送信セットを設定する場合には、端末装置ＵＥから５つの伝搬路状況データを受信するまでは、受信した伝搬路状況データを送信セットの選択に用いる伝搬路状況データとして設定する。そして、端末装置ＵＥから新たに伝搬路状況データを受信すると、設定されている５つの伝搬路状況データのうち、最も受信時刻の古い伝搬路状況データが新たに受信した伝搬路状況データと置き換えられる。したがって、基地局装置ＢＳでは、最後に受信した５つの伝搬路状況データを用いて送信セットを設定することになる。
【０１３０】
これによって、報告セットとして設定される基地局装置ＢＳの数が多い場合であっても、受信した伝搬路状況データの信頼性が低下することを防止することができる。
【０１３１】
（端末装置ＵＥに対する送信セットの設定通知）
基地局装置ＢＳにおけるＣｏＭＰセル情報決定部１６０において送信セットが設定されると、基地局装置ＢＳは、設定した送信セットに属する基地局装置ＢＳがいずれであるのかを端末装置ＵＥに対して通知する。上述したように、報告用インデックスを用いて伝搬路状況データを送信する場合には、基地局装置ＢＳから端末装置ＵＥに対する送信セットの設定通知も報告用インデックスを用いることにより、データ容量を低減することができる。
【０１３２】
また、報告用インデックスを用いる以外にも、基地局装置ＢＳは、図５（ａ）および（ｂ）に示すように、送信セットとして設定された基地局装置ＢＳがいずれであるのかをビットマップ形式で通知するようにしてもよい。図５（ａ）および（ｂ）は、送信セットとして設定された基地局装置を通知する通知方法の一例を示す図であり、（ａ）はＢＳ１、ＢＳ２およびＢＳ３を送信セットとして設定したことを通知する方法であり、（ｂ）はＢＳ１およびＢＳ４を送信セットとして設定したことを通知する方法である。
【０１３３】
図５（ａ）および（ｂ）では、基地局装置ＢＳ１〜ＢＳ８のうち、送信セットに選択した基地局装置ＢＳを「１」と表記し、選択していない基地局装置ＢＳを「０」と表記している。したがって、図５（ａ）は、基地局装置ＢＳ１、ＢＳ２およびＢＳ３を送信セットとして設定した場合を示し、図５（ｂ）は、基地局装置ＢＳ１およびＢＳ４を送信セットとして設定した場合を示している。すなわち、基地局装置ＢＳ１、ＢＳ２およびＢＳ３を送信セットとして設定した場合には、「１１１０００００」という情報（セット情報）が端末装置に送信され、基地局装置ＢＳ１およびＢＳ４を送信セットとして設定した場合には、「１００１００００」という情報が端末装置に送信される。
【０１３４】
このように、いずれの基地局装置ＢＳを送信セットとして設定しているのかを示す情報を端末装置に対して送信することにより、協調複数基地局通信の基地局として機能する基地局装置ＢＳが変化した場合であっても、送信セットとして設定された基地局装置ＢＳがいずれであるのかを、少ないデータ容量で効率良く通知することができる。
【０１３５】
（付記事項）
本実施形態では、基地局装置ＢＳにおけるＣｏＭＰセル情報決定部１６０において、協調複数基地局通信システムの基地局として機能する基地局装置ＢＳを選択する場合を例に挙げて説明してきたが、これに限定されるものではない。
【０１３６】
例えば、協調複数基地局通信システムの基地局として機能する基地局装置ＢＳの選択は、図６に示すように、中央制御センターにおいて実行されてもよい。図６は、本発明に係る無線通信システムの変形例を示す図である。
【０１３７】
図６に示すように、中央制御センターは、基地局間ネットワークを介して基地局装置ＢＳ７００、ＢＳ７０１およびＢＳ７０２に接続されている。すなわち、中央制御センターは、基地局装置ＢＳにおける伝搬路状況記憶部１２０、端末位置情報推定部１３０、バックハウルインターフェース１４０、スケジュール部１５０、ＣｏＭＰセル情報決定部１６０と同様の部材を備えている。
【０１３８】
この場合、中央制御センターにおいて設定された送信セットは、基地局間ネットワークを介して各基地局装置ＢＳに対して通知される。
【０１３９】
（プログラムおよび記録媒体）
また、実施形態において説明した機能を実現するためのプログラムをコンピュータ読み取り可能な記録媒体に記録して、この記録媒体に記録されたプログラムをコンピュータシステムに読み込ませ、実行することにより各部の処理を行ってもよい。なお、本明細書等に記載の「コンピュータシステム」とは、オペレーティングシステム、および周辺機器等のハードウェアを含むものとする。また、「コンピュータシステム」は、ＷＷＷ（Ｗｏｒｌｄ  Ｗｉｄｅ  Ｗｅｂ）システムを利用している場合であれば、ホームページの提供環境（あるいは表示環境）をも含むものとする。
【０１４０】
また、「コンピュータ読み取り可能な記録媒体」とは、フレキシブルディスク、光磁気ディスク、ＲＯＭ、およびＣＤ−ＲＯＭ等の可搬媒体、ならびにコンピュータシステムに内蔵されるハードディスク等の記憶装置のことを指している。さらに「コンピュータ読み取り可能な記録媒体」とは、インターネット等のネットワークまたは電話回線等の通信回線を介してプログラムを送信する場合の通信線のように、短時間の間、動的にプログラムを保持するものも含む。さらに、その場合のサーバまたはクライアントとなるコンピュータシステム内部の揮発性メモリのように、プログラムを一定時間保持しているものも含むものとする。また前記プログラムは、前述した機能の一部を実現するためのものであってもよく、さらに前述した機能をコンピュータシステムにすでに記録されているプログラムとの組み合わせとして実現できるものであってもよい。
【０１４１】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４２】
本発明に係る無線通信システムは、ネットワークを介して互いに接続された複数の基地局装置により構成される無線通信システムとして利用することができる。本発明に係る無線通信システムは、例えば、協調複数基地局通信システムとして利用することができる。
【符号の説明】
【０１４３】
ＢＳ        基地局装置
１００      受信部（受信手段）
１１０      受信信号処理部
１２０      伝搬路状況記憶部
１３０      端末位置情報推定部
１４０      バックハウルインターフェース（取得手段）
１５０      スケジュール部
１６０      ＣｏＭＰセル情報決定部（選択手段）
１７０      送信信号処理部
１８０      送信部（通知手段）
１９０      制御部
ＵＥ        端末装置（対象端末装置）
２００      受信部
２１０      受信信号処理部
２２０      制御情報抽出部
２３０      伝搬路状況測定部
２４０      伝搬路状況データ生成部（生成手段）
２５０      伝搬路状況データ報告基地局選択部（基地局選択手段）
２６０      送信信号処理部
２７０      送信部（送信手段）
２８０      制御部
【図１】
2010258612.tif 000003
【図２】
2010258612.tif 000004
【図３】
2010258612.tif 000005
【図４】
2010258612.tif 000006
【図５】
2010258612.tif 000007
【図６】
2010258612.tif 000008
【図７】
2010258612.tif 000009
【図８】
2010258612.tif 000010
【図９】
2010258612.tif 000011